Podtech/llm-jp-corpus-v4-ja_patent huggingface dataset:
(57)【要約】【課題】  今まで縦揺れの地震に簡単に適応できる免震装置がなかった。本発明は直下型の地震の縦揺れ横揺れにも対応できる免震装置を提供することにある。【解決手段】  動力を使用せず、重りの力を利用して空気を圧縮し、空気バネで建物を浮かし地震から守る装置である。【選択図】図１
2019015154.tif 000002
【特許請求の範囲】
【請求項１】
動力を使用しない空気ポンプによる免震装置。
【請求項２】
空気ポンプに重りを用いた請求項１に記載の免震装置。
【請求項３】
重り式空気ポンプによる縦揺れ横揺れにも対応できる請求項１に記載の免震装置。
【請求項４】
重り式空気ポンプと手動式ウインチを組合わせた請求項１に記載の免震装置。
【請求項５】
重りの力で圧縮空気を作る空気ポンプ装置。
【請求項６】
空気ポンプのシリンダーの外側に重りを用いた空気圧縮装置。
【請求項７】
空気バネの中にコイルスプリングを組み込んで建物を浮かせる装置。
【請求項８】
空気バネの中にコイルスプリングを組み込んで建物を浮かせる方法。
【発明の詳細な説明】
【技術分野】
【０００１】  本発明は住宅等の建築物を地震から守る為の免震装置に関するものである。
【背景技術】
【０００２】  従来の免震装置は殆んどが横揺れに対応するものであった。
【発明の概要】
【発明が解決しようとする課題】
【０００３】  そこで本発明は直下型地震の縦揺れにも対応できる免震装置を提供することにある。
【課題を解決するための手段】
【０００４】  空気ポンプに重りを取り付けて圧縮空気を発生させその圧力で空気バネを浮かしこの中に組込んだコイルスプリングの力を借りて建物を浮かし地震の揺れを軽減させるものある。
【発明の効果】
【０００５】  本発明を使用することによって縦揺れ、横揺れの地震にも対応できるようになった。
【図面の簡単な説明】
【０００６】
【図１】本発明の空気ポンプ装置の断面図。
【図２】本発明の空気バネの断面図。
【発明を実施するための形態】
【０００７】  以下実施の形態を説明する。
建物の地下の中央部に円筒形のシリンダー本体１
円形のピストン２  鋼鉄製のドーナツ型の重り４
円形のガイド兼重り台３等から構成される
空気ポンプを設置し、常に緊張状態であるようにチェーン１１を設定しておく。この時手動式ウインチ１６は建物の外に設置し途中でチェーン１１とワイヤ１５は連結している。
【０００８】  ピストン２とガイド兼重り台３とドーナツ型の重り４を手動式ウインチ１６で巻き上げ、ラチエット１０とラチエットの爪９を自動的にセットする。そうするとチェーン１１は緊張状態となる。この時ウインチ１６のワイヤ１５は撓ませておく。又、地震の感知装置は鋼球のバランス重り１３、鋼鉄製の小径の丸鋼１２、張力の弱いコイルスプリング１４で構成され、僅かな地震の揺れでもラチエットの爪９が外れるように設定しておく。
【０００９】  バランス重り１３が地震の揺れを感知すると、ラチエット１０から爪９が外れ、一瞬のうちにピストン２がドーナツ型の重り４の重量で落下し、シリンダー１の中の空気を圧縮しエアー配管６を伝って建物を基礎の間の各所に配置されている空気バネ１７に空気が入り空気バネ１７の中に装着されている強力なコイルスプリング１８の力も借りて瞬間に建物が浮上し地震の影響を最小限に食い止めることができる。
【００１０】  更に空気バネ１７の下部には半円形の空気バネ１７の取付台１９が設置され、この中を空気が通るように穴があいている。取付台１９と半円形のベース２１の間には鋼球２０が埋め込まれて、横揺れの場合でも対応できるようになっている。地震の揺れが治まった時には半円形のベース２１の中心に自然に戻り必ず元の位置に定着するようになっている。
【００１１】  なお空気バネ１７には空気バルブ２２が各々取付けられ、各所に配置されている空気バネ１７の流量を調節できるようになっている。空気バネ２２にはフレキシブルホース２３が取付けられ地震の揺れにも対応できるようになっている。
【００１２】  地震の揺れが治まったら、建物の外に設置されている手動式ウインチ１６を巻き上げピストン２の下部に装着されているチェックバルブ５が働き空気バネ１７の中の空気が抜けスプリングガイド２４どうしが接触し元の安定した位置に戻る。この時ラチエット１０とラチエットの爪９が自動的にセットされ次の地震に備える事となる。
【符号の説明】
【００１３】  １  シリンダー本体                    １７  空気バネ本体
２  ピストン                          １８  コイルスプリング
３  ガイド兼重り台                    １９  空気バネ取付台
４  ドーナツ型重り                    ２０  鋼球
５  チェックバルブ                    ２１  取付ベース
６  エアー配管                        ２２  空気バルブ
７  シリンダーベース                  ２３  フレキシブルホース
８  スプロケット                      ２４  コイルスプリングガイド
９  ラチエット爪
１０  ラチエット
１１  チェーン
１２  丸鋼
１３  バランス重り
１４  コイルスプリング
１５  ワイヤー
１６  手動式ウインチ
【図１】
2019015154.tif 000003
【図２】
2019015154.tif 000004
(57)【要約】      （修正有）【課題】メガネのレンズの汚れや曇りを細部までしっかりとぬぐい取ることができ、レンズにこびりついた油性分など粘着性のある汚れまでこすり取ることができ、除菌性があるクリーナーを提供する。【解決手段】クリーナーは、揮発性のあるアルコール成分を使うことにより、油性分を含むあらゆる汚れ、曇りを拭き取ることができ、長さは手のひらサイズくらいであり、目に見えない各種の細菌も除去するので、快適なメガネライフを楽しむことができる。【選択図】図２
2019015944.tif 000002
【特許請求の範囲】
【請求項１】
メガネのレンズ用クリーナーであって、クリーナーの容器に入ったアルコール成分をクリーナー先端のスポンジ部に滲出させながら、同スポンジ部でレンズをこすることにより、レンズに付着する粘着性のものも含む汚れや曇りをぬぐい取り、除菌もする器具。
【請求項２】
スポンジ部でぬぐい取った後に残るレンズの微かなホコリやカスは、クリーナーの頭部に設けた不織布、マイクロファイバーなどの繊維部により拭き取り仕上げをする。
【請求項３】
上記クリーナーの容器内には、汚れのはく離性に加えて除菌性や揮発性のあるエタノールなどのアルコール成分を一定濃度に希釈し入れている。メガネのレンズだけでなく、スマートフォン画面などのクリーナーとしても有効である。
【請求項４】
上記クリーナーはボールペンのような細長の形状をし、小さな径のスポンジ部によりメガネのレンズの細部の汚れまでぬぐい取ることができる。全体として服のポケットに入れておけるくらいのサイズが適当であろう。
【発明の詳細な説明】
【技術分野】
【０００１】  本発明は、アルコール成分を滲み出させながらメガネのレンズの汚れや曇りをぬぐい取るスポンジ部と、残りカスなどを除去する繊維部の二段構成になっており、レンズの清掃と除菌を同時に行うクリーナーに関する。
【背景技術】
【０００２】  従来、メガネのレンズのクリーニングは、布などでこすって汚れを拭き取るのが一般的である。しかし、これでは汚れや曇りを細部まで十分には取り切れず、皮脂分なども残ってしまう。そこでレンズを二面の布クロスで挟んで摺動させ汚れを取るタイプ（例えば特許文献１参照）がある。また、レンズの裏表に高速振動を与えてクリーニングするタイプ（例えば特許文献２参照）もある。
【先行技術文献】
【特許文献】
【０００３】
【特許文献１】実登３０９４０００  公報
【０００４】
【特許文献２】特開２００５−２６６７３１  公報
【発明の概要】
【発明が解決しようとする課題】
【０００５】  以上に述べたように従来のクリーナーでは、布やクロスだけのものが多く、きめ細かな拭き取りができない。表面にこびりついた皮脂や手あか、化粧品を取ることも難しい。また特許文献１のようにレンズを二面クロスで挟み摺動させても細部の汚れを取ることは困難である。特許文献２のように電気的な高速振動でクリーニングするタイプでは、装置が大がかりになりコストも高い。
【課題を解決するための手段】
【０００６】  本発明は、このような従来の方式が持つ問題を解決するものである。はく離性、揮発性のあるアルコール成分でクリーニングするので、油脂分を含む汚れや曇りが細部まで落ちやすく除菌性もある。レンズにはスポンジ部と繊維部だけが接触するため、手を汚さずに済む。
【発明の効果】
【０００７】  日本人のメガネ人口は６０００万人と言われる。ほぼ二人に一人の勘定である。そのメガネをかける人の共通の悩みは、レンズの汚れや曇りである。汚れには汗や皮脂、手あか、化粧品までが混じっているので、布でこすったくらいでは簡単には取れない。端っこの細部となると尚更である。該クリーナーでは、スポンジ部から滲出するアルコール成分がレンズの細部まで汚れを拭き取る力を発揮し、除菌性もあわせ持つ。
【図面の簡単な説明】
【０００８】
【図１】  本発明のクリーナーの形状と外観。
【図２】  同クリーナーのキャップを外した図。
【発明を実施するための形態】
【０００９】  以下、本発明の実施の形態を図１〜図２に基づいて説明する。
【００１０】  図１は、スポンジ部にキャップをはめた状態のクリーナーの外観図。ボールペン状の細長タイプで、服のポケットに入るくらいのサイズが適当。
【００１１】  図２は、スポンジ部のキャップを外して、メガネのレンズを拭ける状態にあるもの。本体のクリーナー容器には除菌性のアルコール成分が入っている。
【図１】
2019015944.tif 000003
【図２】
2019015944.tif 000004